(57)【要約】      （修正有）【課題】本来遮断するべき主幹ブレーカ又は分岐ブレーカを遮断する。【解決手段】主幹ブレーカＭＣＢ１を流れる第１の零相電流と基準電流とを比較し、前記第１の零相電流が前記基準電流より大である場合、漏電が発生していると判定する判定回路３と、前記第１の零相電流が前記基準電流より大である場合、前記第１の零相電流と、複数の分岐ブレーカＮＦＢ１１〜３１の夫々を流れる第２の零相電流Ｉｚ１〜３と、を合成した複数の合成電流を生成する４生成回路と、前記複数の合成電流の何れかが前記第１の零相電流と異なる場合、該当する前記合成電流に対応する過電流引外し素子Ｘ０〜３により前記分岐ブレーカＮＦＢ１１〜３１が遮断されるように、該当する前記合成電流に対応する短絡回路Ｌ１０１〜Ｌ３０１を短絡する制御回路２と、を備える。【選択図】図１
2012200091.tif 000002
【特許請求の範囲】
【請求項１】
主幹ブレーカと、前記主幹ブレーカの負荷側に並列に設けられる複数の分岐ブレーカと、
前記複数の分岐ブレーカの夫々を遮断する複数の過電流引外し素子と、前記複数の分岐ブレーカ及び前記複数の過電流引外し素子の夫々が接続される複数の分岐回路の夫々を短絡する複数の短絡回路と、を有する分電盤の漏電検出装置であって、
前記主幹ブレーカを流れる第１の零相電流と基準電流とを比較し、前記第１の零相電流が前記基準電流より大である場合、漏電が発生していると判定する判定回路と、
前記第１の零相電流が前記基準電流より大である場合、前記第１の零相電流と、前記複数の分岐ブレーカの夫々を流れる第２の零相電流と、を合成した複数の合成電流を生成する生成回路と、
前記複数の合成電流の何れかが前記第１の零相電流と異なる場合、該当する前記合成電流に対応する前記過電流引外し素子により前記分岐ブレーカが遮断されるように、該当する前記合成電流に対応する前記短絡回路を短絡する制御回路と、
を備えたことを特徴とする分電盤の漏電検出装置。
【発明の詳細な説明】
【技術分野】
【０００１】
本発明は、分電盤の漏電検出装置に関する。
【背景技術】
【０００２】
電源から分電盤を介して例えば家屋の電気機器（以下、負荷という）に供給される電流の漏電を防止する装置として、例えば特許文献１に開示される漏電遮断器が知られている。  
漏電遮断器は、零相変流器及び制御部を備えて構成される。漏電遮断器は、分電盤の例えば主幹ブレーカの近傍に設けられる。  
零相変流器は、主幹ブレーカを流れる零相電流を検出するように、分電盤における主幹ブレーカの近傍に設けられる。制御部は、零相変流器に検出された零相電流が漏電を示す所定の閾値電流より大である場合、主幹ブレーカを遮断する。  
よって、漏電遮断器は、零相変流器で検出された零相電流が漏電を示す所定の閾値電流より大である場合、主幹ブレーカを遮断することにより、漏電を防止していた。
【先行技術文献】
【特許文献】
【０００３】
【特許文献１】特開平１１−１３４９９９号公報
【発明の概要】
【発明が解決しようとする課題】
【０００４】
特許文献１に開示される漏電遮断器は、主幹ブレーカの負荷側に並列に接続された複数の分岐ブレーカを遮断できないため、主幹ブレーカを遮断して漏電を防止していた。従って、漏電遮断器は、本来電流の供給を停止する必要の無い負荷への電流の供給を停止する虞があった。
【課題を解決するための手段】
【０００５】
前述した課題を解決する主たる本発明は、主幹ブレーカと、前記主幹ブレーカの負荷側に並列に設けられる複数の分岐ブレーカと、前記複数の分岐ブレーカの夫々を遮断する複数の過電流引外し素子と、前記複数の分岐ブレーカ及び前記複数の過電流引外し素子の夫々が接続される複数の分岐回路の夫々を短絡する複数の短絡回路と、を有する分電盤の漏電検出装置であって、前記主幹ブレーカを流れる第１の零相電流と基準電流とを比較し、前記第１の零相電流が前記基準電流より大である場合、漏電が発生していると判定する判定回路と、前記第１の零相電流が前記基準電流より大である場合、前記第１の零相電流と、前記複数の分岐ブレーカの夫々を流れる第２の零相電流と、を合成した複数の合成電流を生成する生成回路と、前記複数の合成電流の何れかが前記第１の零相電流と異なる場合、該当する前記合成電流に対応する前記過電流引外し素子により前記分岐ブレーカが遮断されるように、該当する前記合成電流に対応する前記短絡回路を短絡する制御回路と、を備えたことを特徴とする分電盤の漏電検出装置である。
【０００６】
本発明の他の特徴については、添付図面及び本明細書の記載により明らかとなる。
【発明の効果】
【０００７】
本発明によれば、本来遮断するべき主幹ブレーカ又は分岐ブレーカを遮断することができる。
【図面の簡単な説明】
【０００８】
【図１】本発明の第１及びその他の実施形態に係る分電盤の漏電検出装置を示す図である。
【図２】本発明の第２及びその他の実施形態に係る分電盤の漏電検出装置を示す図である。
【図３】本発明の第１実施形態に用いられる生成回路及び零相変流器を示す図である。
【図４】本発明の第２実施形態に用いられる生成回路及び零相変流器を示す図である。
【図５】本発明のその他の実施形態に用いられる生成回路を示す図である。
【図６】本発明の第１及びその他の実施形態に用いられる判定回路の機能を示すブロック図である。
【図７】本発明の第２及びその他の実施形態に用いられる判定回路の機能を示すブロック図である。
【図８】本発明の第１及びその他の実施形態に用いられる制御回路の機能を示すブロック図である。
【図９】本発明の第２及びその他の実施形態に用いられる制御回路の機能を示すブロック図である。
【図１０】本発明の第１及びその他の実施形態に用いられる制御回路の動作を示すフローチャートである。
【図１１】本発明の第２及びその他の実施形態に用いられる制御回路の動作を示すフローチャートである。
【発明を実施するための形態】
【０００９】
本明細書および添付図面の記載により、少なくとも以下の事項が明らかとなる。
【００１０】
[第１実施形態]
＝＝＝分電盤＝＝＝
図１は、本実施形態に係る分電盤の漏電検出装置を示す図である。  
分電盤１は、漏電検出装置８、主幹回路１０、例えば３個の分岐回路１００、２００、３００、短絡回路１０１、２０１、３０１を備えて構成される。尚、漏電検出装置８、短絡回路１０１、２０１、３０１の詳細については後述する。
【００１１】
分電盤１は、分電盤１に供給される電力を分配して例えば負荷Ｃ１乃至Ｃ３に供給する。尚、負荷Ｃ１乃至Ｃ３は、分電盤１で分配された電力によって駆動される例えば家屋に設けられた電気機器とする。
【００１２】
主幹回路１０は、電線Ｌ１、Ｌ２、引外し素子Ｘ０（過電流引外し素子）、主幹ブレーカＭＣＢ１、ＭＣＢ２、引外しコイルＭ０及び零相変流器Ｚ０を備えて構成される。
【００１３】
電線Ｌ１、Ｌ２は、例えば交流電力を伝達するために対として利用される電線である。電線Ｌ１、Ｌ２の一端は夫々、負荷Ｃ１乃至Ｃ３に電力を供給するための電源（不図示）に接続され、電線Ｌ１、Ｌ２の他端は夫々、電線Ｌ３、Ｌ４に接続される。尚、電線Ｌ１の他端が電線Ｌ３に接続される地点をＰ１１地点とし、電線Ｌ２の他端が電線Ｌ４に接続される地点をＰ１２地点とする。主幹ブレーカＭＣＢ１、ＭＣＢ２は夫々、電線Ｌ１、Ｌ２の一端と電線Ｌ１、Ｌ２の他端との間を遮断するように電線Ｌ１、Ｌ２に設けられる。引外し素子Ｘ０は、引外し素子Ｘ０を流れる電流によって発熱して変形する例えばバイメタルである。引外し素子Ｘ０は、電線Ｌ２における主幹ブレーカＭＣＢ２の近傍に設けられる。引外し素子Ｘ０に第１の設定電流よりも大きな電流が流れた場合、引外し素子Ｘ０は、主幹ブレーカＭＣＢ１、ＭＣＢ２を開とするように変形する。尚、第１の設定電流は、負荷Ｃ１乃至Ｃ３に供給された際に負荷Ｃ１乃至Ｃ３を故障させる可能性が生じる大きさの電流よりも小さい電流とする。引外しコイルＭ０は、主幹ブレーカＭＣＢ１、ＭＣＢ２が開とされる電磁力を発生させるための磁界を作るように主幹ブレーカＭＣＢ１、ＭＣＢ２の近傍に設けられる。引外しコイルＭ０は、コイル用電源（不図示）に接続されているものとする。コイル用電源は、制御回路２から主幹ブレーカＭＣＢ１、ＭＣＢ２を開とする遮断命令Ｔｃ１を受信した場合、主幹ブレーカＭＣＢ１、ＭＣＢ２が開とされる電磁力を発生させる磁界が作られる電圧を引外しコイルＭ０に印加するものとする。零相変流器Ｚ０は、電線Ｌ１、Ｌ２の零相電流を検出して二次側電流Ｉｚ０を漏電検出装置８に供給するように電線Ｌ１、Ｌ２に設けられる。尚、二次側電流Ｉｚ０は、零相変流器Ｚ０で検出された電線Ｌ１、Ｌ２の零相電流と同じ大きさの電流とする。
【００１４】
分岐回路１００、２００、３００は夫々同様な構成であるので、分岐回路１００についてのみ説明し、分岐回路２００、３００の説明は省略する。
【００１５】
分岐回路１００は、電線Ｌ１１、Ｌ１２、引外し素子Ｘ１（過電流引外し素子）、分岐ブレーカＮＦＢ１１、ＮＦＢ１２、及び零相変流器Ｚ１を備えて構成される。
【００１６】
電線Ｌ１１、Ｌ１２は、例えば交流電力を伝達するために対として利用される電線である。電線Ｌ１１の一端はＰ１１地点で電線Ｌ３に接続され、電線Ｌ１１の他端は負荷Ｃ１に接続される。電線Ｌ１２の一端はＰ１２地点で電線Ｌ４に接続され、電線Ｌ１２の他端は負荷Ｃ１に接続される。分岐ブレーカＮＦＢ１１、ＮＦＢ１２は夫々、電線Ｌ１１、Ｌ１２の一端と電線Ｌ１１、Ｌ１２の他端との間を遮断するように電線Ｌ１１、Ｌ１２に設けられる。引外し素子Ｘ１は、引外し素子Ｘ１を流れる電流によって発熱して変形する例えばバイメタルである。引外し素子Ｘ１は、電線Ｌ１２における分岐ブレーカＮＦＢ１２の近傍に設けられる。引外し素子Ｘ１に第２の設定電流よりも大きな電流が流れた場合、引外し素子Ｘ１は、分岐ブレーカＮＦＢ１１、ＮＦＢ１２を開とするように変形する。尚、第２の設定電流は、負荷Ｃ１が正常に動作している際に流れる電流よりも大きく、第１の設定電流よりも小さい電流とする。零相変流器Ｚ１は、電線Ｌ１１、Ｌ１２の零相電流を検出して二次側電流Ｉｚ１を漏電検出装置８に供給するように電線Ｌ１１、Ｌ１２に設けられる。尚、二次側電流Ｉｚ１は、零相変流器Ｚ１で検出された電線Ｌ１１、Ｌ１２の零相電流と同じ大きさの電流とする。
【００１７】
＝＝＝短絡回路＝＝＝
短絡回路１０１、２０１、３０１は夫々同様な構成であるので、短絡回路１０１についてのみ説明し、短絡回路２０１、３０１の説明は省略する。  
短絡回路１０１は、短絡スイッチＳＷ１、抵抗Ｒ１及び電線Ｌ１０１を備えて構成される。  
短絡回路１０１は、電線Ｌ１１と電線Ｌ１２とを略短絡させる回路である。
【００１８】
抵抗Ｒ１及び短絡スイッチＳＷ１は直列に接続された状態で、電線Ｌ１０１における電線Ｌ１０１の一端及び他端の間に接続される。電線Ｌ１０１の一端は、電線Ｌ１１に接続される。尚、電線Ｌ１０１の一端が電線Ｌ１１に接続される地点をＰ１３地点とする。電線Ｌ１０１の他端は、電線Ｌ１２における引外し素子Ｘ１が設けられた地点よりも下流側で電線Ｌ１２に接続される。尚、電線Ｌ１０１の他端が電線Ｌ１２に接続される地点をＰ１４地点とする。
【００１９】
ここで、短絡スイッチＳＷ１を閉とした際に電線Ｌ１１、Ｌ１２が略短絡されて第２の設定電流よりも大きく第１の設定電流よりも小さい電流が引外し素子Ｘ１を流れるように、抵抗Ｒ１の抵抗値は設定される。短絡スイッチＳＷ１の開閉は、制御回路２によって制御される。尚、制御回路２の詳細については後述する。
【００２０】
よって、例えば短絡スイッチＳＷ１が開とされた場合、分岐ブレーカＮＦＢ１１、ＮＦＢ１２は開とされない。一方、例えば短絡スイッチＳＷ１が閉とされた場合、電線Ｌ１１、Ｌ１２は抵抗Ｒ１を介して略短絡される。第２の設定電流よりも大きく第１の設定電流よりも小さい電流が引外し素子Ｘ１を流れる。分岐ブレーカＮＦＢ１１、ＮＦＢ１２は、引外し素子Ｘ１によって開とされる。
【００２１】
＝＝＝漏電検出装置＝＝＝
漏電検出装置８は、制御回路２、判定回路３及び生成回路４を備えて構成される。  
漏電検出装置８は、漏電検出装置８に供給される二次側電流Ｉｚ０乃至Ｉｚ３に基づいて、漏電を防止するように主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２を遮断する装置である。
【００２２】
生成回路４は、生成回路４に供給される二次側電流Ｉｚ０及び、二次側電流Ｉｚ０と二次側電流Ｉｚ１乃至Ｉｚ３夫々とを合成した複数の合成電流を出力する。尚、生成回路４の詳細については後述する。生成回路４は、零相変流器Ｚ０乃至Ｚ３から夫々、生成回路４に二次側電流Ｉｚ０乃至Ｉｚ３が供給されるように零相変流器Ｚ０乃至Ｚ３に接続される。
【００２３】
判定回路３は、二次側電流Ｉｚ０が漏電を示す基準電流よりも大であるか否かを判定する。判定回路３は、主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２の何れを遮断するか判定する。尚、判定回路３の詳細については後述する。判定回路３は、電線Ｌ４１、Ｌ４２を介して生成回路４に接続される。
【００２４】
制御回路２は、判定回路３の判定結果に基づいて、主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２を遮断する。尚、制御回路２の詳細については後述する。制御回路２は、判定回路３との間で通信が行われるように、例えば通信ケーブルＴ１を介して判定回路３に接続される。制御回路２は、生成回路４との間で通信が行われるように、例えば通信ケーブルＴ２を介して生成回路４に接続される。
【００２５】
＝＝＝生成回路＝＝＝
図３は、本実施形態に用いられる生成回路と零相変流器の詳細を示す図である。  
生成回路４は、入力端子Ｃ１１、Ｃ１２、Ｃ２１、Ｃ２２、Ｃ３１、Ｃ３２、Ｃ４１、Ｃ４２、出力端子Ｃ１、Ｃ２、スイッチＳＷ４１乃至ＳＷ４３を備えて構成される。
【００２６】
生成回路４は、生成回路４に供給される二次側電流Ｉｚ０、又は二次側電流Ｉｚ０と二次側電流Ｉｚ１乃至Ｉｚ３夫々とを合成した合成電流Ｉｚ１０、Ｉｚ２０、Ｉｚ３０の何れかを出力する。尚、合成電流Ｉｚ１０、Ｉｚ２０、Ｉｚ３０の詳細については後述する。
【００２７】
スイッチＳＷ４１乃至ＳＷ４３は、生成回路４から出力される電流として二次側電流Ｉｚ０、合成電流Ｉｚ１０、Ｉｚ２０、Ｉｚ３０の何れかを選択する。スイッチＳＷ４１乃至ＳＷ４３は夫々同様な構成であるので、スイッチＳＷ４１についてのみ説明し、スイッチＳＷ４２、ＳＷ４３の説明は省略する。スイッチＳＷ４１は、接点４１ａ、４１ｂ、４１ｃ及び切片４１ｄを備えて構成される。切片４１ｄの一端は接点４１ａに接続される。切片４１ｄの他端は接点４１ｂ又は接点４１ｃに選択的に接続される。ここで、制御回路２は、切片４１ｄの他端が接点４１ｂ又は接点４１ｃに選択的に接続されるようにスイッチＳＷ４１を制御するものとする。尚、制御回路２の詳細については後述する。出力端子Ｃ１は、入力端子Ｃ１１、Ｃ２１、Ｃ３１、Ｃ４１、接点４１ｂ、４２ｂ、４３ｂに共通に接続される。出力端子Ｃ２は、入力端子Ｃ１２、接点４１ｃ、４２ｃ、４３ｃに共通に接続される。出力端子Ｃ１、Ｃ２は夫々、電線Ｌ４１、Ｌ４２を介して判定回路３に接続される。入力端子Ｃ２２は、接点４１ａに接続される。入力端子Ｃ３２は、接点４２ａに接続される。入力端子Ｃ４２は、接点４３ａに接続される。
【００２８】
ここで、零相変流器Ｚ０には、零相変流器Ｚ０で検出された電線Ｌ１、Ｌ２の零相電流に応じた電圧が出力される二次側端子Ｃｚ１、Ｃｚ２が設けられているものとする。二次側端子Ｃｚ１は、電線Ｌ１、Ｌ２の一端から他端へ零相電流が流れた場合に二次側端子Ｃｚ２から出力される電圧よりも高い電圧を出力するものとし、二次側端子Ｃｚ２は、電線Ｌ１、Ｌ２の一端から他端へ零相電流が流れた場合に二次側端子Ｃｚ１から出力される電圧よりも低い電圧を出力するものとする。前述したように、二次側端子Ｃｚ１、Ｃｚ２から出力された電圧によって生成回路４に供給される二次側電流Ｉｚ０の大きさは、零相変流器Ｚ０で検出された電線Ｌ１、Ｌ２の零相電流の大きさと等しいものとする。零相変流器Ｚ１には、零相変流器Ｚ１で検出された電線Ｌ１１、Ｌ１２の零相電流に応じた電圧が出力される二次側端子Ｃｚ１１、Ｃｚ１２が設けられているものとする。二次側端子Ｃｚ１１は、電線Ｌ１１、Ｌ１２の一端から他端へ零相電流が流れた場合に二次側端子Ｃｚ１２から出力される電圧よりも高い電圧を出力するものとし、二次側端子Ｃｚ１２は、電線Ｌ１１、Ｌ１２の一端から他端へ零相電流が流れた場合に二次側端子Ｃｚ１１から出力される電圧よりも低い電圧を出力するものとする。前述したように、二次側端子Ｃｚ１１、Ｃｚ１２から出力された電圧によって生成回路４に供給される二次側電流Ｉｚ１の大きさは、零相変流器Ｚ１で検出された電線Ｌ１１、Ｌ１２の零相電流の大きさと等しいものとする。尚、零相変流器Ｚ２、Ｚ３の構成は、零相変流器Ｚ１の構成と同様であるのでその説明は省略する。
【００２９】
入力端子Ｃ１１、Ｃ１２は夫々、零相変流器Ｚ０の二次側端子Ｃｚ１、Ｃｚ２と接続される。入力端子Ｃ２１、Ｃ２２は夫々、零相変流器Ｚ１の二次側端子Ｃｚ１１、Ｃｚ１２と接続される。入力端子Ｃ３１、Ｃ３２は夫々、零相変流器Ｚ２の二次側端子Ｃｚ２１、Ｃｚ２２と接続される。入力端子Ｃ４１、Ｃ４２は夫々、零相変流器Ｚ３の二次側端子Ｃｚ３１、Ｃｚ３２と接続される。
【００３０】
よって、例えば切片４１ｄの他端が接点４１ｂに接続され、切片４２ｄの他端が接点４２ｂに接続され、切片４３ｄの他端が接点４３ｂに接続された場合（以下、第１のモードという）、生成回路４は、生成回路４に供給された二次側電流Ｉｚ０を出力する。又、例えば切片４１ｄの他端が接点４１ｃに接続され、切片４２ｄの他端が接点４２ｂに接続され、切片４３ｄの他端が接点４３ｂに接続された場合（以下、第２のモードという）、生成回路４は、生成回路４に供給された二次側電流Ｉｚ０、Ｉｚ１の合成電流を出力する。尚、二次側電流Ｉｚ０と二次側電流Ｉｚ１とを合成して得られた合成電流を合成電流Ｉｚ１０とする。又、例えば切片４１ｄの他端が接点４１ｂに接続され、切片４２ｄの他端が接点４２ｃに接続され、切片４３ｄの他端が接点４３ｂに接続された場合（以下、第３のモードという）、生成回路４は、生成回路４に供給された二次側電流Ｉｚ０、Ｉｚ２の合成電流を出力する。尚、二次側電流Ｉｚ０と二次側電流Ｉｚ２とを合成して得られた合成電流を合成電流Ｉｚ２０とする。又、例えば切片４１ｄの他端が接点４１ｂに接続され、切片４２ｄの他端が接点４２ｂに接続され、切片４３ｄの他端が接点４３ｃに接続された場合（以下、第４のモードという）、生成回路４は、生成回路４に供給された二次側電流Ｉｚ０、Ｉｚ３の合成電流を出力する。尚、二次側電流Ｉｚ０と二次側電流Ｉｚ３とを合成して得られた合成電流を合成電流Ｉｚ３０とする。
【００３１】
＝＝＝判定回路＝＝＝
図６は本実施形態に用いられる判定回路の機能を示すブロック図である。  
判定回路３は、二次側電流Ｉｚ０が漏電を示す基準電流よりも大であるか否かを判定する。判定回路３は、主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２の何れを遮断するか判定する。  
判定回路３は、送受信部３１、判定部３２、記憶部３３及び測定部３４を備えて構成される。
【００３２】
測定部３４は、生成回路４から電線Ｌ４１、Ｌ４２を介して判定回路３に供給された二次側電流Ｉｚ０、合成電流Ｉｚ１０、Ｉｚ２０、Ｉｚ３０を測定する。記憶部３３は、例えば第１の領域３３ａ、第２の領域３３ｂ及び第３の領域３３ｃを有する。第１の領域３３ａは、基準電流を示す基準情報が記憶されている。尚、基準電流は、漏電が生じた際に電線Ｌ１、Ｌ２を流れる零相電流の大きさよりも小さい電流とする。第２の領域３３ｂは、測定部３４で測定された二次側電流Ｉｚ０を示す二次側電流情報及び測定部３４で測定された合成電流Ｉｚ１０、Ｉｚ２０、Ｉｚ３０を示す合成電流情報を記憶する。判定部３２は、第２の領域３３ｂに記憶された二次側電流情報に示された二次側電流Ｉｚ０の大きさが、第１の領域３３ａに記憶された基準情報に示された基準電流の大きさよりも大きいか否かを判定する。判定部３２は、第２の領域３３ｂに記憶された二次側電流情報に示された二次側電流Ｉｚ０の大きさが、第２の領域３３ｂに記憶された合成電流情報に示された合成電流Ｉｚ１０、Ｉｚ２０、Ｉｚ３０全てと等しいか否かを判定する。判定部３２は、第２の領域３３ｂに記憶された合成電流情報に示された合成電流Ｉｚ１０、Ｉｚ２０、Ｉｚ３０夫々の大きさのうち最大の合成電流を判定する。第３の領域３３ｃは、判定部３２に判定された合成電流Ｉｚ１０、Ｉｚ２０及びＩｚ３０のうち最大の合成電流を示す最大合成電流情報を記憶する。第３の領域３３ｃは、二次側電流Ｉｚ０の大きさが合成電流Ｉｚ１０、Ｉｚ２０、Ｉｚ３０全てと等しいか否かを示す比較情報を記憶する。送受信部３１は、例えば二次側電流Ｉｚ０の大きさが、基準電流の大きさよりも大きいか否かの判定部３２による判定結果を示す判定情報、最大合成電流情報を制御回路２へ送信する。
【００３３】
＝＝＝制御回路＝＝＝
図８は本実施形態に用いられる制御回路の機能を示すブロック図である。  
制御回路２は、判定回路３の判定結果に基づいて、主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２を遮断する。  
制御回路２は、送受信部２１及び記憶部２２を備えて構成される。
【００３４】
送受信部２１は、例えば判定情報、最大合成電流情報を判定回路３から受信する。送受信部２１は、例えば生成回路４のスイッチＳＷ４１乃至ＳＷ４３を制御する制御命令を生成回路４に送信する。送受信部２１は、例えば主幹ブレーカＭＣＢ１、ＭＣＢ２を開とする遮断命令Ｔｃ１を送信する。送受信部２１は、例えば短絡回路１０１、２０２、３０１の短絡スイッチＳＷ１、ＳＷ２、ＳＷ３の開閉を制御する制御命令を短絡回路１０１、２０２、３０１に送信する。記憶部２２は、判定回路３の判定結果に基づいて主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２を遮断するプログラムが記憶されているものとする。
【００３５】
＝＝＝漏電検出装置の動作＝＝＝
本実施形態に係る漏電検出装置８の動作について説明する。  
図１０は本実施形態に用いられる制御回路の動作を示すフローチャートである。  
漏電検出装置８は、漏電検出装置８に供給される二次側電流Ｉｚ０乃至Ｉｚ３に基づいて、漏電を防止するように主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２を遮断する。
【００３６】
記憶部２２に記憶されたプログラムの実行が開始されたところから説明する。
【００３７】
制御回路２は、生成回路４から二次側電流Ｉｚ０が出力されるように生成回路４のスイッチＳＷ４１乃至ＳＷ４３を制御する。制御回路２は、スイッチＳＷ４１乃至スイッチＳＷ４３が第１のモードとなるようにスイッチＳＷ４１乃至ＳＷ４３を制御する（ステップＳ１０）。生成回路４から出力された二次側電流Ｉｚ０は、判定回路３に供給される。判定回路３は、二次側電流Ｉｚ０の大きさが、第１の領域３３ａに記憶された基準情報に示された基準電流の大きさよりも大きいか否かを判定する。制御回路２は、二次側電流Ｉｚ０の大きさが、基準電流の大きさよりも大きいか否かの判定結果を示す判定情報を判定回路３から受信する。制御回路２は、判定情報に示される判定結果から、二次側電流Ｉｚ０の大きさが基準電流の大きさよりも大きいか否かを判断する（ステップＳ１１）。制御回路２が、例えば二次側電流Ｉｚ０の大きさは基準電流の大きさよりも大きくないと判断した場合（ステップＳ１１のＮＯ）、制御回路２は、上記ステップＳ１０の制御を行った後、上記ステップＳ１１の判断を再度行う。制御回路２が、例えば二次側電流Ｉｚ０の大きさは基準電流の大きさよりも大きいと判断した場合（ステップＳ１１のＹＥＳ）、制御回路２は、後述するように主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２の何れかを遮断する。制御回路２は、生成回路４から合成電流Ｉｚ１０乃至Ｉｚ３０が出力されるように生成回路４のスイッチＳＷ４１乃至ＳＷ４３を制御する。制御回路２は、スイッチＳＷ４１乃至ＳＷ４３が順次第２のモード、第３のモード、第４のモードとなるようにスイッチＳＷ４１乃至ＳＷ４３を制御する（ステップＳ１２）。生成回路４から出力された合成電流Ｉｚ１０乃至Ｉｚ３０は、判定回路３に供給される。判定回路３は、二次側電流Ｉｚ０の大きさが、合成電流Ｉｚ１０、Ｉｚ２０、Ｉｚ３０夫々の大きさ全てと等しいか否かを判定する。判定回路３は、合成電流Ｉｚ１０、Ｉｚ２０、Ｉｚ３０のうち最大の合成電流を判定する。制御回路２は、二次側電流Ｉｚ０の大きさが合成電流Ｉｚ１０、Ｉｚ２０、Ｉｚ３０夫々の大きさ全てと等しいか否かを示す比較情報を判定回路３から受信する。制御回路２は、合成電流Ｉｚ１０、Ｉｚ２０及びＩｚ３０のうち最大の合成電流を示す最大合成電流情報を判定回路３から受信する。制御回路２は、比較情報に基づいて、二次側電流Ｉｚ０の大きさが合成電流Ｉｚ１０、Ｉｚ２０、Ｉｚ３０夫々の大きさ全てと等しいか否かを判断する（ステップＳ１３）。制御回路２が、二次側電流Ｉｚ０の大きさは合成電流Ｉｚ１０、Ｉｚ２０、Ｉｚ３０夫々の大きさ全てと等しいと判断した場合（ステップＳ１３のＹＥＳ）、制御回路２は、主幹ブレーカＭＣＢ１、ＭＣＢ２を遮断する。制御回路２は、引外しコイルＭ０のコイル用電源に主幹ブレーカＭＣＢ１、ＭＣＢ２を開とする遮断命令Ｔｃ１を送信する（ステップＳ１４）。コイル用電源は、主幹ブレーカＭＣＢ１、ＭＣＢ２が開とされる電磁力を発生させる磁界が作られる電圧を引外しコイルＭ０に印加する。主幹ブレーカＭＣＢ１、ＭＣＢ２は、引外しコイルＭ０の磁界による電磁力で開とされる。制御回路２の制御動作は終了する。
【００３８】
制御回路２が、合成電流Ｉｚ１０、Ｉｚ２０、Ｉｚ３０の何れかの大きさは二次側電流Ｉｚ０の大きさと等しくないと判断した場合（ステップＳ１３のＮＯ）、制御回路２は、後述するように分岐ブレーカＮＦＢ１１、ＮＦＢ１２、ＮＦＢ２１、ＮＦＢ２２、ＮＦＢ３１、ＮＦＢ３２の何れかを遮断する。制御回路２は、最大合成電流情報に示された合成電流に対応した分岐ブレーカを遮断する。例えば、最大合成電流情報に示された合成電流が合成電流Ｉｚ１０である場合、制御回路２は、分岐ブレーカＮＦＢ１１、ＮＦＢ１２を遮断する。
【００３９】
制御回路２は、短絡スイッチＳＷ１を閉とする制御命令を短絡回路１０１に送信する（ステップＳ１５）。第２の設定電流よりも大きく第１の設定電流よりも小さい電流が引外し素子Ｘ１を流れる。分岐ブレーカＮＦＢ１１、ＮＦＢ１２は、引外し素子Ｘ１によって開とされる。尚、例えば、最大合成電流情報に示された合成電流が合成電流Ｉｚ２０である場合、制御回路２は、分岐ブレーカＮＦＢ２１、ＮＦＢ２２を遮断する。制御回路２が分岐ブレーカＮＦＢ２１、ＮＦＢ２２を遮断する動作は、制御回路２が分岐ブレーカＮＦＢ１１、ＮＦＢ１２を遮断する動作と同様であるので、その説明は省略する。例えば、最大合成電流情報に示された合成電流が合成電流Ｉｚ３０である場合、制御回路２は、分岐ブレーカＮＦＢ３１、ＮＦＢ３２を遮断する。制御回路２が分岐ブレーカＮＦＢ３１、ＮＦＢ３２を遮断する動作は、制御回路２が分岐ブレーカＮＦＢ１１、ＮＦＢ１２を遮断する動作と同様であるので、その説明は省略する。制御回路２は、生成回路４から二次側電流Ｉｚ０が出力されるように生成回路４のスイッチＳＷ４１乃至ＳＷ４３を制御する。制御回路２は、スイッチＳＷ４１乃至スイッチＳＷ４３が第１のモードとなるようにスイッチＳＷ４１乃至ＳＷ４３を制御する（ステップＳ１６）。生成回路４から出力された二次側電流Ｉｚ０は、判定回路３に供給される。判定回路３は、二次側電流Ｉｚ０の大きさが、第１の領域３３ａに記憶された基準情報に示された基準電流の大きさよりも大きいか否かを判定する。制御回路２は、二次側電流Ｉｚ０の大きさが、基準電流の大きさよりも大きいか否かの判定結果を示す判定情報を判定回路３から受信する。制御回路２は、判定情報に示される判定結果から、二次側電流Ｉｚ０の大きさが基準電流の大きさよりも大きいか否かを判断する（ステップＳ１７）。制御回路２が、例えば二次側電流Ｉｚ０の大きさは基準電流の大きさよりも大きくないと判断した場合（ステップＳ１７のＮＯ）、制御回路２は、制御動作を終了する。制御回路２が、例えば二次側電流Ｉｚ０の大きさは基準電流の大きさよりも大きいと判断した場合（ステップＳ１７のＹＥＳ）、制御回路２は、ステップＳ１５で遮断されていない分岐ブレーカＮＦＢ１１、ＮＦＢ１２、ＮＦＢ２１、ＮＦＢ２２、ＮＦＢ３１、ＮＦＢ３２の何れかを遮断する。制御回路２は、生成回路４から合成電流Ｉｚ１０乃至Ｉｚ３０が出力されるように生成回路４のスイッチＳＷ４１乃至ＳＷ４３を制御する。制御回路２は、スイッチＳＷ４１乃至ＳＷ４３が順次第２のモード、第３のモード、第４のモードとなるようにスイッチＳＷ４１乃至ＳＷ４３を制御する（ステップＳ１８）。制御回路２は、上記ステップＳ１５、Ｓ１６の制御を行った後、上記ステップＳ１７の判断を再度行う。
【００４０】
前述したように、漏電検出装置８は、二次側電流Ｉｚ０の大きさが基準電流よりも大きい場合、漏電を検出する。漏電検出装置８は、二次側電流Ｉｚ０及び、二次側電流Ｉｚ０と二次側電流Ｉｚ１乃至Ｉｚ３とを夫々加算した合成電流Ｉｚ１０、Ｉｚ２０、Ｉｚ３０に基づいて、主幹ブレーカ又は分岐ブレーカを遮断する。二次側電流Ｉｚ０の大きさと合成電流Ｉｚ１０、Ｉｚ２０、Ｉｚ３０夫々の大きさが等しい場合、漏電検出装置８は主幹ブレーカを遮断する。合成電流Ｉｚ１０、Ｉｚ２０、Ｉｚ３０の何れかの大きさと二次側電流Ｉｚ０の大きさが異なる場合、漏電検出装置８は、該当する合成電流に対応する分岐ブレーカが設けられた電線を短絡回路によって短絡して前述の分岐ブレーカを遮断する引外し素子に過電流を流すことで引外し素子によって分岐ブレーカを遮断する。よって、漏電検出装置８は、主幹ブレーカ又は分岐ブレーカを遮断することができるために、本来遮断するべき主幹ブレーカ又は分岐ブレーカを遮断し、漏電を確実に防止できる。
【００４１】
[第２実施形態]
＝＝＝分電盤＝＝＝
図２は、本実施形態に係る分電盤の漏電検出装置を示す図である。尚、図１に示された構成と同じ構成については同じ番号を付すのみで、その説明は省略する。  
分電盤１ａは、漏電検出装置８ａ、主幹回路１０、例えば３個の分岐回路１００、２００、３００、短絡回路４００を備えて構成される。尚、漏電検出装置８ａ、短絡回路４００の詳細については後述する。  
分電盤１ａは、分電盤１ａに供給される電力を分配して例えば負荷Ｃ１乃至Ｃ３に供給する。
【００４２】
＝＝＝短絡回路＝＝＝
短絡回路４００は、補助スイッチＳＷ１１、ＳＷ１２、ＳＷ２１、ＳＷ２２、ＳＷ３１、ＳＷ３２、短絡スイッチＳＷ４００、抵抗Ｒ４００及び電線Ｌ４００を備えて構成される。
【００４３】
短絡回路４００は、電線Ｌ１１と電線Ｌ１２、電線Ｌ２１と電線Ｌ２２、電線Ｌ３１と電線Ｌ３２とを夫々略短絡させる回路である。
【００４４】
抵抗Ｒ４００及び短絡スイッチＳＷ４００は直列に接続された状態で、電線Ｌ４００における電線Ｌ４００の一端及び他端の間に接続される。尚、直列に接続された抵抗Ｒ４００及び短絡スイッチＳＷ４００を、直列抵抗等という。補助スイッチＳＷ１１は、電線Ｌ４００における例えば電線Ｌ４００の一端の近傍に設けられる。
【００４５】
補助スイッチＳＷ１２は、電線Ｌ４００における例えば電線Ｌ４００の他端の近傍に設けられる。電線Ｌ４００の一端は、電線Ｌ１１に接続される。尚、電線Ｌ４００の一端が電線Ｌ１１に接続される地点をＰ１５地点とする。電線Ｌ４００の他端は、電線Ｌ１２における引外し素子Ｘ１（過電流引外し素子）が設けられた地点よりも下流側で電線Ｌ１２に接続される。尚、電線Ｌ４００の他端が電線Ｌ１２に接続される地点をＰ１６地点とする。補助スイッチＳＷ２１は、電線Ｌ４２１における電線Ｌ４２１の一端及び他端の間に接続される。補助スイッチＳＷ２２は、電線Ｌ４２２における電線Ｌ４２２の一端及び他端の間に接続される。補助スイッチＳＷ３１は、電線Ｌ４３１における電線Ｌ４３１の一端及び他端の間に接続される。補助スイッチＳＷ３２は、電線Ｌ４３２における電線Ｌ４３２の一端及び他端の間に接続される。電線Ｌ４２１の一端は、電線Ｌ２１に接続される。尚、電線Ｌ４２１の一端が電線Ｌ２１に接続される地点をＰ２５地点とする。
【００４６】
電線Ｌ４２１の他端は、例えば電線Ｌ４００における補助スイッチＳＷ１１が設けられた地点と直列抵抗等が設けられた地点の間で電線Ｌ４００に接続される。尚、電線Ｌ４２１の他端が電線Ｌ４００に接続される地点をＰ２７地点とする。電線Ｌ４２２の一端は、電線Ｌ２２における引外し素子Ｘ２（過電流引外し素子）が設けられた地点よりも下流側で電線Ｌ２２に接続される。尚、電線Ｌ４２２の一端が電線Ｌ２２に接続される地点をＰ２６地点とする。電線Ｌ４２２の他端は、例えば電線Ｌ４００における補助スイッチＳＷ１２が設けられた地点と直列抵抗等が設けられた地点の間で電線Ｌ４００に接続される。尚、電線Ｌ４２２の他端が電線Ｌ４００に接続される地点をＰ２８地点とする。電線Ｌ４３１の一端は、電線Ｌ３１に接続される。尚、電線Ｌ４３１の一端が電線Ｌ３１に接続される地点をＰ３５地点とする。電線Ｌ４３１の他端は、例えば電線Ｌ４００におけるＰ２７地点と直列抵抗等が設けられた地点の間で電線Ｌ４００に接続される。尚、電線Ｌ４３１の他端が電線Ｌ４００に接続される地点をＰ３７地点とする。電線Ｌ４３２の一端は、電線Ｌ３２における引外し素子Ｘ３（過電流引外し素子）が設けられた地点よりも下流側で電線Ｌ３２に接続される。尚、電線Ｌ４３２の一端が電線Ｌ３２に接続される地点をＰ３６地点とする。電線Ｌ４３２の他端は、例えば電線Ｌ４００におけるＰ２８地点と直列抵抗等が設けられた地点の間で電線Ｌ４００に接続される。尚、電線Ｌ４２２の他端が電線Ｌ４００に接続される地点をＰ３８地点とする。
【００４７】
補助スイッチＳＷ１１、ＳＷ１２は、制御回路２ａによって同時に開閉される。補助スイッチＳＷ２１、ＳＷ２２は、制御回路２ａによって同時に開閉される。補助スイッチＳＷ３１、ＳＷ３２は、制御回路２ａによって同時に開閉される。尚、制御回路２ａの詳細については後述する。
【００４８】
短絡スイッチＳＷ４００を閉とし、補助スイッチＳＷ１１、ＳＷ１２を閉とした際に電線Ｌ１１、Ｌ１２が略短絡されて第２の設定電流よりも大きく第１の設定電流よりも小さい電流が引外し素子Ｘ１を流れるように、抵抗Ｒ４００の抵抗値は設定される。尚、電線Ｌ２１、Ｌ２２が電線Ｌ１１、Ｌ１２と同様に略短絡された際も、第２の設定電流よりも大きく第１の設定電流よりも小さい電流が引外し素子Ｘ２を流れるものとする。電線Ｌ３１、Ｌ３２が電線Ｌ１１、Ｌ１２と同様に略短絡された際も、第２の設定電流よりも大きく第１の設定電流よりも小さい電流が引外し素子Ｘ３を流れるものとする。
【００４９】
よって、例えば短絡スイッチＳＷ４００が開とされた場合、分岐ブレーカＮＦＢ１１、ＮＦＢ１２、ＮＦＢ２１、ＮＦＢ２２、ＮＦＢ３１、ＮＦＢ３２は開とされない。例えば、短絡スイッチＳＷ４００、補助スイッチＳＷ１１、ＳＷ１２全てが閉とされた場合、電線Ｌ１１、Ｌ１２は略短絡される。第２の設定電流よりも大きく第１の設定電流よりも小さい電流が引外し素子Ｘ１を流れる。分岐ブレーカＮＦＢ１１、ＮＦＢ１２は、引外し素子Ｘ１によって開とされる。例えば、短絡スイッチＳＷ４００、補助スイッチＳＷ２１、ＳＷ２２全てが閉とされた場合、電線Ｌ２１、Ｌ２２は略短絡される。第２の設定電流よりも大きく第１の設定電流よりも小さい電流が引外し素子Ｘ２を流れる。分岐ブレーカＮＦＢ２１、ＮＦＢ２２は、引外し素子Ｘ２によって開とされる。例えば、短絡スイッチＳＷ４００、補助スイッチＳＷ３１、ＳＷ３２全てが閉とされた場合、電線Ｌ３１、Ｌ３２は略短絡される。第２の設定電流よりも大きく第１の設定電流よりも小さい電流が引外し素子Ｘ３を流れる。分岐ブレーカＮＦＢ３１、ＮＦＢ３２は、引外し素子Ｘ３によって開とされる。
【００５０】
＝＝＝漏電検出装置＝＝＝
漏電検出装置８ａは、制御回路２ａ、判定回路３ａ及び生成回路４を備えて構成される。  
漏電検出装置８ａは、漏電検出装置８ａに供給される二次側電流Ｉｚ０乃至Ｉｚ３に基づいて、漏電を防止するように主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２を遮断する装置である。
【００５１】
生成回路４は、生成回路４に供給される二次側電流Ｉｚ０及び、二次側電流Ｉｚ０と二次側電流Ｉｚ１乃至Ｉｚ３夫々とを合成した複数の合成電流を出力する。尚、生成回路４の詳細については後述する。生成回路４は、零相変流器Ｚ０乃至Ｚ３から夫々、生成回路４に二次側電流Ｉｚ０乃至Ｉｚ３が供給されるように零相変流器Ｚ０乃至Ｚ３に接続される。
【００５２】
判定回路３ａは、二次側電流Ｉｚ０が漏電を示す基準電流よりも大であるか否かを判定する。判定回路３ａは、主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２の何れを遮断するか判定する。尚、判定回路３ａの詳細については後述する。判定回路３ａは、電線Ｌ４１、Ｌ４２を介して生成回路４に接続される。
【００５３】
制御回路２ａは、判定回路３ａの判定結果に基づいて、主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２を遮断する。尚、制御回路２ａの詳細については後述する。制御回路２ａは、判定回路３ａとの間で通信が行われるように、例えば通信ケーブルＴ１を介して判定回路３ａに接続される。制御回路２ａは、生成回路４との間で通信が行われるように、例えば通信ケーブルＴ２を介して生成回路４に接続される。
【００５４】
＝＝＝生成回路＝＝＝
図４は、本実施形態に用いられる生成回路と零相変流器の詳細を示す図である。尚、図２に示された構成と同じ構成については同じ番号を付すのみで、その説明は省略する。
【００５５】
入力端子Ｃ１１、Ｃ１２は夫々、零相変流器Ｚ０の二次側端子Ｃｚ１、Ｃｚ２と接続される。入力端子Ｃ２１、Ｃ２２は夫々、零相変流器Ｚ１の二次側端子Ｃｚ１２、Ｃｚ１１と接続される。入力端子Ｃ３１、Ｃ３２は夫々、零相変流器Ｚ２の二次側端子Ｃｚ２２、Ｃｚ２１と接続される。入力端子Ｃ４１、Ｃ４２は夫々、零相変流器Ｚ３の二次側端子Ｃｚ３２、Ｃｚ３１と接続される。
【００５６】
よって、例えば切片４１ｄの他端が接点４１ｂに接続され、切片４２ｄの他端が接点４２ｂに接続され、切片４３ｄの他端が接点４３ｂに接続された場合（以下、第１のモードという）、生成回路４は、生成回路４に供給された二次側電流Ｉｚ０を出力する。又、例えば切片４１ｄの他端が接点４１ｃに接続され、切片４２ｄの他端が接点４２ｂに接続され、切片４３ｄの他端が接点４３ｂに接続された場合（以下、第２のモードという）、生成回路４は、生成回路４に供給された二次側電流Ｉｚ０、Ｉｚ１の合成電流を出力する。尚、二次側電流Ｉｚ０と二次側電流Ｉｚ１とを合成して得られた合成電流を合成電流Ｉｚ１１とする。又、例えば切片４１ｄの他端が接点４１ｂに接続され、切片４２ｄの他端が接点４２ｃに接続され、切片４３ｄの他端が接点４３ｂに接続された場合（以下、第３のモードという）、生成回路４は、生成回路４に供給された二次側電流Ｉｚ０、Ｉｚ２の合成電流を出力する。尚、二次側電流Ｉｚ０と二次側電流Ｉｚ２とを合成して得られた合成電流を合成電流Ｉｚ２１とする。又、例えば切片４１ｄの他端が接点４１ｂに接続され、切片４２ｄの他端が接点４２ｂに接続され、切片４３ｄの他端が接点４３ｃに接続された場合（以下、第４のモードという）、生成回路４は、生成回路４に供給された二次側電流Ｉｚ０、Ｉｚ３の合成電流を出力する。尚、二次側電流Ｉｚ０と二次側電流Ｉｚ３とを合成して得られた合成電流を合成電流Ｉｚ３１とする。
【００５７】
＝＝＝判定回路＝＝＝
図７は本実施形態に用いられる判定回路の機能を示すブロック図である。  
判定回路３ａは、二次側電流Ｉｚ０が漏電を示す基準電流よりも大であるか否かを判定する。判定回路３ａは、主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２の何れを遮断するか判定する。
【００５８】
判定回路３ａは、送受信部３１０、判定部３２０、記憶部３３０及び測定部３４０を備えて構成される。
【００５９】
測定部３４０は、生成回路４から電線Ｌ４１、Ｌ４２を介して判定回路３ａに供給された二次側電流Ｉｚ０、合成電流Ｉｚ１１、Ｉｚ２１、Ｉｚ３１を測定する。記憶部３３０は、例えば第１の領域３３０ａ、第２の領域３３０ｂ及び第３の領域３３０ｃを有する。第１の領域３３０ａは、基準電流を示す基準情報が記憶されている。尚、基準電流は、漏電が生じた際に電線Ｌ１、Ｌ２を流れる零相電流の大きさよりも小さい電流とする。第２の領域３３０ｂは、測定部３４０で測定された二次側電流Ｉｚ０を示す二次側電流情報及び測定部３４０で測定された合成電流Ｉｚ１１、Ｉｚ２１、Ｉｚ３１を示す合成電流情報を記憶する。判定部３２０は、第２の領域３３０ｂに記憶された二次側電流情報に示された二次側電流Ｉｚ０の大きさが、第１の領域３３０ａに記憶された基準情報に示された基準電流の大きさよりも大きいか否かを判定する。判定部３２０は、第２の領域３３０ｂに記憶された二次側電流情報に示された二次側電流Ｉｚ０の大きさが、第２の領域３３０ｂに記憶された合成電流情報に示された合成電流Ｉｚ１１、Ｉｚ２１、Ｉｚ３１全てと等しいか否かを判定する。判定部３２０は、第２の領域３３０ｂに記憶された合成電流情報に示された合成電流Ｉｚ１１、Ｉｚ２１、Ｉｚ３１夫々の大きさのうち最小の合成電流を判定する。第３の領域３３０ｃは、判定部３２０に判定された合成電流Ｉｚ１１、Ｉｚ２１及びＩｚ３１のうち最小の合成電流を夫々示す最小合成電流情報を記憶する。第３の領域３３０ｃは、二次側電流Ｉｚ０の大きさが合成電流Ｉｚ１１、Ｉｚ２１、Ｉｚ３１全てと等しいか否かを示す比較情報を記憶する。送受信部３１０は、例えば二次側電流Ｉｚ０の大きさが、基準電流の大きさよりも大きいか否かの判定部３２０による判定結果を示す判定情報、最小合成電流情報を制御回路２ａへ送信する。
【００６０】
＝＝＝制御回路＝＝＝
図９は本実施形態に用いられる制御回路の機能を示すブロック図である。  
制御回路２ａは、判定回路３ａの判定結果に基づいて、主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２を遮断する。  
制御回路２ａは、送受信部２１０及び記憶部２２０を備えて構成される。
【００６１】
送受信部２１０は、例えば判定情報、最小合成電流情報を判定回路３ａから受信する。送受信部２１０は、例えば生成回路４のスイッチＳＷ４１乃至ＳＷ４３を制御する制御命令を生成回路４に送信する。送受信部２１０は、例えば主幹ブレーカＭＣＢ１、ＭＣＢ２を開とする遮断命令Ｔｃ１を送信する。送受信部２１０は、例えば短絡回路４００の短絡スイッチＳＷ４００、補助スイッチＳＷ１１、ＳＷ１２、ＳＷ２１、ＳＷ２２、ＳＷ３１、ＳＷ３２の開閉を制御する制御命令を短絡回路４００に送信する。記憶部２２０は、判定回路３ａの判定結果に基づいて主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２を遮断するプログラムが記憶されているものとする。
【００６２】
＝＝＝漏電検出装置の動作＝＝＝
本実施形態に係る漏電検出装置８ａの動作について説明する。  
図１１は本実施形態に用いられる制御回路の動作を示すフローチャートである。尚、図１１のステップＳ２０乃至Ｓ２４、ステップＳ２６乃至Ｓ２８は夫々、図１０のステップＳ１０乃至Ｓ１４、ステップＳ１６乃至Ｓ１８と同様な動作を示すステップであるので、その説明は省略する。
【００６３】
漏電検出装置８ａは、漏電検出装置８ａに供給される二次側電流Ｉｚ０乃至Ｉｚ３に基づいて、漏電を防止するように主幹ブレーカＭＣＢ１、ＭＣＢ２、分岐ブレーカＮＦＢ１１、ＮＦＢ１２、ＮＦＢ２１、ＮＦＢ２２、ＮＦＢ３１、ＮＦＢ３２を遮断する。
【００６４】
記憶部２２０に記憶されたプログラムの実行が開始されたところから説明する。
【００６５】
制御回路２ａは、図１０に示されたステップＳ１０乃至Ｓ１４と同様な制御を行う（ステップＳ２０乃至Ｓ２４）。制御回路２ａは、最小合成電流情報に示された合成電流に対応した分岐ブレーカを遮断する。例えば、最小合成電流情報に示された合成電流が合成電流Ｉｚ１１である場合、制御回路２ａは、分岐ブレーカＮＦＢ１１、ＮＦＢ１２を遮断する。制御回路２ａは、短絡スイッチＳＷ４００、補助スイッチＳＷ１１、ＳＷ１２開とする制御命令を短絡回路４００に送信する（ステップＳ２５）。第２の設定電流よりも大きく第１の設定電流よりも小さい電流が引外し素子Ｘ１を流れる。分岐ブレーカＮＦＢ１１、ＮＦＢ１２は、引外し素子Ｘ１によって開とされる。尚、例えば、最小合成電流情報に示された合成電流が合成電流Ｉｚ２１である場合、制御回路２ａは、分岐ブレーカＮＦＢ２１、ＮＦＢ２２を遮断する。制御回路２ａが分岐ブレーカＮＦＢ２１、ＮＦＢ２２を遮断する動作は、制御回路２ａが分岐ブレーカＮＦＢ１１、ＮＦＢ１２を遮断する動作と同様であるので、その説明は省略する。例えば、最小合成電流情報に示された合成電流が合成電流Ｉｚ３１である場合、制御回路２ａは、分岐ブレーカＮＦＢ３１、ＮＦＢ３２を遮断する。制御回路２ａが分岐ブレーカＮＦＢ３１、ＮＦＢ３２を遮断する動作は、制御回路２ａが分岐ブレーカＮＦＢ１１、ＮＦＢ１２を遮断する動作と同様であるので、その説明は省略する。制御回路２ａは、図１０に示されたステップＳ１６乃至Ｓ１８と同様な制御を行う（ステップＳ２６乃至Ｓ２８）。
【００６６】
前述したように、漏電検出装置８ａは、二次側電流Ｉｚ０の大きさが基準電流よりも大きい場合、漏電を検出する。漏電検出装置８ａは、二次側電流Ｉｚ０及び、二次側電流Ｉｚ０と二次側電流Ｉｚ１乃至Ｉｚ３とを夫々減算した合成電流Ｉｚ１１、Ｉｚ２１、Ｉｚ３１に基づいて、主幹ブレーカ又は分岐ブレーカを遮断する。二次側電流Ｉｚ０の大きさと合成電流Ｉｚ１１、Ｉｚ２１、Ｉｚ３１夫々の大きさが等しい場合、漏電検出装置８ａは主幹ブレーカを遮断する。合成電流Ｉｚ１１、Ｉｚ２１、Ｉｚ３１の何れかの大きさと二次側電流Ｉｚ０の大きさが異なる場合、漏電検出装置８ａは、該当する合成電流に対応する分岐ブレーカが設けられた電線を短絡回路によって短絡して前述の分岐ブレーカを遮断する引外し素子に過電流を流すことで引外し素子によって分岐ブレーカを遮断する。よって、漏電検出装置８ａは、主幹ブレーカ又は分岐ブレーカを遮断することができるために、本来遮断するべき主幹ブレーカ又は分岐ブレーカを遮断し、漏電を確実に防止できる。
【００６７】
[その他の実施形態]
＝＝＝生成回路＝＝＝
第１及び第２実施形態において生成回路４を設けたが、それに限定されることなく、生成回路７に置き換えた漏電検出装置８ｂとすることもできる。  
図５は、本実施形態に用いられる生成回路を示す図である。尚、固定部材７２、端子Ｃ７１乃至Ｃ７８、端子Ｃ７２ａ、端子Ｃ７２ｂ、端子Ｃ７２ｃ、電線Ｌ７０１、Ｌ７０２は、図５の＋Ｚ方向からは見えない状態となっている。
【００６８】
生成回路７は、生成回路７に供給される二次側電流Ｉｚ０、又は二次側電流Ｉｚ０と二次側電流Ｉｚ１乃至Ｉｚ３夫々とを合成した複数の合成電流の何れかを出力する例えばロータリスイッチである。  
生成回路７は、回転部材７１、固定部材７２、例えば６個の回路短絡バーＭｅ１乃至Ｍｅ６、端子Ｃ７１乃至Ｃ７８、端子Ｃ７２ａ、端子Ｃ７２ｂ、端子Ｃ７２ｃ、電線Ｌ７０１、Ｌ７０２を備えて構成される。
【００６９】
固定部材７２は、電線Ｌ７０１、Ｌ７０２、端子Ｃ７１乃至Ｃ７８、端子Ｃ７２ａ、端子Ｃ７２ｂ、端子Ｃ７２ｃ、を有する例えばロータリスイッチの本体である。固定部材７２は、例えば円盤形状であるものとする。回転部材７１は、回路短絡バーＭｅ１乃至Ｍｅ６を有する例えばロータリスイッチのロータである。回転部材７１は、例えば固定部材７２と同径の円盤形状であるものとする。回転部材７１は、固定部材７２の径の中心を軸に回転できるように例えば回転部材７１の中心と固定部材７２の中心は、回転軸Ｒで接続される。尚、回転部材７１の−Ｚ側の面（以下、回転部材７１の接触面という）と固定部材７２の＋Ｚ側の面（以下、固定部材７２の接触面という）は略接触しているものとする。ここで、回転部材７１の＋Ｚ側の面を回転部材７１の非接触面とし、固定部材７２の−Ｚ側の面を固定部材７２の非接触面とする。
【００７０】
電線Ｌ７０１、Ｌ７０２は、固定部材７２に例えば配設される。電線Ｌ７０１は、例えば固定部材７２の外周に沿った固定部材７２の同心円（以下、第１の同心円という）上に配設される。電線Ｌ７０２は、例えば回転軸Ｒの外周に沿った固定部材７２の同心円（以下、第２の同心円という）上に配設される。
【００７１】
端子Ｃ７１乃至Ｃ７８、端子Ｃ７２ａ、端子Ｃ７２ｂ、端子Ｃ７２ｃは、固定部材７２の接触面と固定部材７２の非接触面との間を通電できるように固定部材７２に設けられる。端子Ｃ７１、Ｃ７３、Ｃ７５、Ｃ７７は夫々、電線Ｌ７０１を介して接続されるように固定部材７２の第１の同心円上に設けられる。端子Ｃ７１は、固定部材７２の中心の例えば＋Ｘ方向（以下、右方向という）に設けられる。端子Ｃ７５は、固定部材７２の中心の例えば−Ｘ方向（以下、左方向という）に設けられる。端子Ｃ７３は、固定部材７２の中心から、端子Ｃ７５と例えば−Ｙ方向（以下、下方向という）に例えば４５度の角度を持つ位置に設けられる。端子Ｃ７７は、固定部材７２の中心から、端子Ｃ７５と例えば＋Ｙ方向（以下、上方向という）に例えば４５度の角度を持つ位置に設けられる。端子Ｃ７２、Ｃ７２ａ、Ｃ７２ｂ、Ｃ７２ｃは夫々、電線Ｌ７０２を介して接続されるように固定部材７２の第２の同心円上に設けられる。端子Ｃ７２ｂは、固定部材７２の中心の例えば左方向に設けられる。端子Ｃ７２ａは、固定部材７２の中心から、端子Ｃ７２ｂと例えば下方向に例えば４５度の角度を持つ位置に設けられる。端子Ｃ７２ｃは、固定部材７２の中心から、端子Ｃ７２ｂと例えば上方向に例えば４５度の角度を持つ位置に設けられる。端子Ｃ７２は、固定部材７２の中心を基準に端子Ｃ７２ａと対称な位置に設けられる。端子Ｃ７４は、端子Ｃ７２ａと端子Ｃ７３の例えば略中央に設けられる。端子Ｃ７６は、端子Ｃ７２ｂと端子Ｃ７５の例えば略中央に設けられる。端子Ｃ７８は、端子Ｃ７２ｃと端子Ｃ７７の例えば略中央に設けられる。従って、端子Ｃ７４、Ｃ７６、Ｃ７８は、固定部材７２の同心円（以下、第３の同心円という）上に配設される。回路短絡バーＭｅ１乃至Ｍｅ６は、回転部材７１の接触面と回転部材７１の非接触面との間を通電できるように回転部材７１に設けられる。回路短絡バーＭｅ１は、例えば固定部材７２の第２の同心円上に設けられた端子Ｃ７２ａ、Ｃ７２ｂ、Ｃ７２ｃ夫々と固定部材７２に設けられた端子Ｃ７４、Ｃ７６、Ｃ７８を夫々接続する長さを有する例えば長尺状の金属部材である。回路短絡バーＭｅ１は、例えば固定部材７２の接触面側における端子Ｃ７２ａ、Ｃ７４が接続されるように回転部材７１に設けられる。回路短絡バーＭｅ２乃至Ｍｅ６は、例えば固定部材７２の第１の同心円上に設けられた端子Ｃ７３、Ｃ７５、Ｃ７７夫々と固定部材７２に設けられた端子Ｃ７４、Ｃ７６、Ｃ７８を夫々接続する長さを有する例えば長尺状の金属部材である。回路短絡バーＭｅ２は、例えば固定部材７２の接触面側における端子Ｃ７５、Ｃ７６が接続されるように回転部材７１に設けられる。回路短絡バーＭｅ３は、例えば固定部材７２の接触面側における端子Ｃ７７、Ｃ７８が接続されるように回転部材７１に設けられる。回転短絡バーＭｅ４は、回転部材７１の中心を基準に回転短絡バーＭｅ２と対称な位置に設けられる。回転短絡バーＭｅ５は、回転部材７１の中心を基準に回転短絡バーＭｅ３と対称な位置に設けられる。回路短絡バーＭｅ６は、回転部材７１の中心から、回路短絡バーＭｅ５と例えば左方向に例えば４５度の角度を持つ位置に設けられる。尚、回転短絡バーＭｅ６は、長手方向がＹ軸方向と平行にされて、第１の同心円及び第３の同心円を接続する位置に設けられるものとする。固定部材７２における非接触面側の端子Ｃ７１乃至Ｃ７８には、零相変流器Ｚ０乃至Ｚ３、判定回路３、３ａが接続される。端子Ｃ７１乃至Ｃ７８と零相変流器Ｚ０乃至Ｚ３、判定回路３、３ａとの接続について、生成回路７が図３の生成回路４と等価な動作を行う場合と、生成回路７が図４の生成回路４と等価な動作を行う場合に分けて説明する。
【００７２】
＜図３の生成回路４と等価な動作を行う場合の接続＞
端子Ｃ７１、Ｃ７２は夫々、例えば電線Ｌ４１、Ｌ４２を介して判定回路３に接続される。  
零相変流器Ｚ０の二次側端子Ｃｚ１、Ｃｚ２は夫々電線Ｌ７１、Ｌ７２を介して電線Ｌ４１、Ｌ４２に接続される。端子Ｃ７３、Ｃ７４は夫々、零相変流器Ｚ１の二次側端子Ｃｚ１１、Ｃｚ１２に例えば電線Ｌ７３、Ｌ７４を介して接続される。端子Ｃ７５、Ｃ７６は夫々、零相変流器Ｚ２の二次側端子Ｃｚ２１、Ｃｚ２２に例えば電線Ｌ７５、Ｌ７６を介して接続される。端子Ｃ７７、Ｃ７８は夫々、零相変流器Ｚ３の二次側端子Ｃｚ３１、Ｃｚ３２に例えば電線Ｌ７７、Ｌ７８を介して接続される。
【００７３】
＜図４の生成回路４と等価な動作を行う場合の接続＞
端子Ｃ７１、Ｃ７２は夫々、例えば電線Ｌ４１、Ｌ４２を介して判定回路３ａに接続される。零相変流器Ｚ０の二次側端子Ｃｚ１、Ｃｚ２は夫々電線Ｌ７１、Ｌ７２を介して電線Ｌ４１、Ｌ４２に接続される。端子Ｃ７３、Ｃ７４は夫々、零相変流器Ｚ１の二次側端子Ｃｚ１２、Ｃｚ１１に例えば電線Ｌ７３、Ｌ７４を介して接続される。端子Ｃ７５、Ｃ７６は夫々、零相変流器Ｚ２の二次側端子Ｃｚ２２、Ｃｚ２１に例えば電線Ｌ７５、Ｌ７６を介して接続される。端子Ｃ７７、Ｃ７８は夫々、零相変流器Ｚ３の二次側端子Ｃｚ３２、Ｃｚ３１に例えば電線Ｌ７７、Ｌ７８を介して接続される。
【００７４】
図５を参照して生成回路７の動作について説明する。  
回転部材７１が図５に示された状態のまま回転していない場合、生成回路７は、生成回路７に供給された二次側電流Ｉｚ０、Ｉｚ１の合成電流を出力する。回転部材７１が回転軸Ｒを支点に例えばＲＡ方向に４５度回転した場合、生成回路７は、生成回路７に供給された二次側電流Ｉｚ０、Ｉｚ２の合成電流を出力する。回転部材７１が回転軸Ｒを支点に例えばＲＡ方向にさらに４５度回転した場合、生成回路７は、生成回路７に供給された二次側電流Ｉｚ０、Ｉｚ３の合成電流を出力する。回転部材７１が回転軸Ｒを支点に例えばＲＡ方向にさらに４５度回転した場合、生成回路７は、生成回路７に供給された二次側電流Ｉｚ０を出力する。
【００７５】
前述したように、生成回路７は、回転部材７１を例えばＲＡ方向に順次回転することにより、二次側電流Ｉｚ０及び、二次側電流Ｉｚ０と二次側電流Ｉｚ１乃至Ｉｚ３夫々とを合成した複数の合成電流を出力する。よって、漏電検出装置８ｂは、生成回路７の回転部材７１を回転させる制御のみで容易に生成回路７から二次側電流Ｉｚ０及び複数の合成電流が出力されるように生成回路７を制御することができる。よって、単純な構成の制御回路２、２ａを有する漏電検出装置８ｂを提供することができる。
【００７６】
尚、上記第１及び第２実施形態、その他の実施形態は、本発明の理解を容易にするためのものであり、本発明を限定して解釈するためのものではない。本発明は、その趣旨を逸脱することなく、変更、改良され得るとともに、本発明にはその等価物も含まれる。
【００７７】
第１実施形態における漏電検出装置８では、説明の便宜上、短絡回路１０１、２０１、３０１を用いて分岐ブレーカＮＦＢ１１、ＮＦＢ１２、ＮＦＢ２１、ＮＦＢ２２、ＮＦＢ３１、ＮＦＢ３２を遮断したが、これに限定されるものではない。例えば、短絡回路４００を用いて分岐ブレーカＮＦＢ１１、ＮＦＢ１２、ＮＦＢ２１、ＮＦＢ２２、ＮＦＢ３１、ＮＦＢ３２を遮断するようにしてもよい。第２実施形態における漏電検出装置８ａでは、説明の便宜上、短絡回路４００を用いて分岐ブレーカＮＦＢ１１、ＮＦＢ１２、ＮＦＢ２１、ＮＦＢ２２、ＮＦＢ３１、ＮＦＢ３２を遮断したが、これに限定されるものではない。例えば、短絡回路１０１、２０１、３０１を用いて分岐ブレーカＮＦＢ１１、ＮＦＢ１２、ＮＦＢ２１、ＮＦＢ２２、ＮＦＢ３１、ＮＦＢ３２を遮断するようにしてもよい。
【符号の説明】
【００７８】
１、１ａ                              分電盤
２、２ａ                              制御回路
３、３ａ                              判定回路
４、７                                生成回路
８、８ａ、８ｂ                        漏電検出装置
１０                                  主幹回路
１００、２００、３００                分岐回路
１０１、２０１、３０１、４００        短絡回路
Ｃ１、Ｃ２、Ｃ３                      負荷
ＭＣＢ１、ＭＣＢ２                    主幹ブレーカ
ＮＦＢ１１、ＮＦＢ１２、ＮＦＢ２１、ＮＦＢ２２、ＮＦＢ３１、ＮＦＢ３２  分岐ブレーカ
Ｍ０                                  引外しコイル
ＳＷ１、ＳＷ２、ＳＷ３、ＳＷ４００    短絡スイッチ
ＳＷ１１、ＳＷ１２、ＳＷ２１、ＳＷ２２、ＳＷ３２、ＳＷ４００  補助スイッチ
Ｘ０、Ｘ１、Ｘ２、Ｘ３                引外し素子
Ｚ０、Ｚ１、Ｚ２、Ｚ３                零相変流器
【図１】
2012200091.tif 000003
【図２】
2012200091.tif 000004
【図３】
2012200091.tif 000005
【図４】
2012200091.tif 000006
【図５】
2012200091.tif 000007
【図６】
2012200091.tif 000008
【図７】
2012200091.tif 000009
【図８】
2012200091.tif 000010
【図９】
2012200091.tif 000011
【図１０】
2012200091.tif 000012
【図１１】
2012200091.tif 000013